(57)【特許請求の範囲】
【請求項１】
信号源からの信号を減衰させて、後段信号処理回路へ送る信号減衰回路であって、
前記信号源の出力端子及び前記後段信号処理回路の入力端子と第１インピーダンス手段を介して接続された一方の端子と、交流的な接地レベルと接続された他方の端子とを有し、減衰率制御信号の大きさに対応してインピーダンスが変化する第１整流器手段と；
前記交流的な接地レベルと第２インピーダンス手段を介して接続された一方の端子と、前記第１整流器手段の一方の端子と接続された他方の端子とを有し、整流方向について前記第１整流器手段と直列に接続されるとともに、前記減衰率制御信号の大きさに対応してインピーダンスが変化する第２整流器手段と；を備え、
前記第１インピーダンス手段及び前記第２インピーダンス手段のインピーダンスが、前記後段信号処理回路が処理すべき高周波領域においては、前記減衰率制御信号の大きさに応じた前記第１整流器手段及び前記第２整流器手段のインピーダンス変化による前記信号源からの信号の減衰量を考慮して定められるとともに、低周波妨害が発生し得る低周波領域においては、前記信号源のインピーダンス及び前記後段信号処理回路の入力信号レベルの適正範囲を考慮して定められている、ことを特徴とする信号減衰回路。
【請求項２】
前記第１整流器手段及び前記第２整流器手段はダイオードである、ことを特徴とする請求項１に記載の信号減衰回路。
【請求項３】
前記信号源の信号出力端子と前記第１整流器手段の一方の端子とは、容量素子を介して接続されるとともに、前記容量素子を介した接続と並列して抵抗素子を介して接続される、ことを特徴する請求項１に記載の信号減衰回路。
【請求項４】
信号源からの信号を減衰させて、後段信号処理回路へ送る信号減衰回路であって、
前記信号源の出力端子及び前記後段信号処理回路の入力端子と接続された一方の端子と、交流的な接地レベルと接続された他方の端子とを有し、減衰率制御信号の大きさに対応してインピーダンスが変化する第１整流器手段と；
前記交流的な接地レベルとインピーダンス手段を介して接続された一方の端子と、前記第１整流器手段の一方の端子と接続された他方の端子とを有し、整流方向について前記第１整流器手段と直列に接続されるとともに、前記減衰率制御信号の大きさに対応してインピーダンスが変化する第２整流器手段と；を備え、
前記インピーダンス手段のインピーダンスが、前記後段信号処理回路が処理すべき高周波領域においては、前記減衰率制御信号の大きさに応じた前記第１整流器手段及び前記第２整流器手段のインピーダンス変化による前記信号源からの信号の減衰量を考慮して定められるとともに、低周波妨害が発生し得る低周波領域においては、前記信号源のインピーダンス及び前記後段信号処理回路の入力信号レベルの適正範囲を考慮して定められている、ことを特徴とする信号減衰回路。
【請求項５】
前記第１整流器手段及び前記第２整流器手段はダイオードである、ことを特徴とする請求項４に記載の信号減衰回路。
【発明の詳細な説明】
【技術分野】
【０００１】
本発明は、信号源からの信号を減衰させて、後段信号処理回路へ送る信号減衰回路に関する。
【背景技術】
【０００２】
従来から、ラジオ受信機を代表とする受信装置が広く普及している。こうした受信装置においては、アンテナに誘起された信号の処理に際して、信号の大きさを処理に都合の良い大きさにした後に、周波数変換や検波などを行うことが一般的である。このような信号源からの信号の大きさを変換するに際し、信号源からの信号を、減衰手段を介して増幅手段に入力させ、増幅手段の後段における検波結果等に基づいて、減衰手段における減衰率を調節する自動利得調整（ＡＧＣ）方式が、多くの受信装置で採用されている。
【０００３】
また、例えば、車載のラジオ受信機等のように、電力の送電線の直下において受信を行うことがある受信装置の場合には、我が国のように交流送電を採用している国では、送電周波数（我が国においては、５０Ｈｚ又は６０Ｈｚ）の低周波妨害波を受信すること（以下、「送電線妨害」と呼ぶ）があることを避けることができない。低周波妨害波の一種である送電線妨害の大きさは、送電線との距離にもよるが、振幅が１００Ｖ程度にも達することがあり、受信装置における初段の増幅回路である高周波増幅回路への入力信号レベルが高周波増幅回路の適正動作範囲から外れてしまう場合がある。こうした事態は、高周波増幅回路による増幅結果に歪や混変調を発生させることになり、例えばラジオ受信機の場合にはハム音を生じる結果を招くこととなっていた。
【０００４】
かかる事態を防止し、かつ、自動利得調整（ＡＧＣ）機能を実現するために、図７に示される回路構成を採用した受信装置９０とすることが考えられる（以下、「従来例１」と呼ぶ）。この受信装置９０は、（ａ）等価回路としてキャパシタＣ０で表されるアンテナ１と、（ｂ）アンテナ１で誘起された信号を、減衰率制御信号ＡＧＣの大きさに応じた減衰率で減衰させる信号減衰回路９１と、（ｃ）信号減衰回路９１を介した信号をクランプするクランプ回路９２と、（ｄ）初段に高周波増幅回路３が配設され、クランプ回路９２を介した信号を処理する後段信号処理回路２とを備えている。ここで、減衰率制御信号ＡＧＣは、後段信号処理回路２において生成され、抵抗Ｒ１を介して、信号減衰回路９１に供給されるようになっている。
【０００５】
信号減衰回路９１は、（ｉ）直列に接続されたダイオードＤ１，Ｄ２と、（ii）ダイオードＤ１とダイオードＤ２との接続点に一方の端子が接続されるとともに、他方の端子がアンテナ１の信号出力端子に接続されたキャパシタＣ１とを備えている。そして、ダイオードＤ１のカソード端子が接地されるとともに、ダイオードＤ２のアノード端子が抵抗Ｒ１の減衰率制御信号ＡＧＣの入力端子とは異なる端子に接続されている。
【０００６】
クランプ回路９２は、ダイオードＤ３，Ｄ４を備えている。ここで、ダイオードＤ３のアノード端子は接地され、カソード端子は高周波増幅回路３の信号入力端子に接続されている。また、ダイオードＤ４のカソード端子は接地され、ダイオードＤ４のアノード端子は高周波増幅回路３の信号入力端子に接続されている。
【０００７】
受信装置９０では、信号減衰回路９１が、アンテナ１からの信号に、減衰率制御信号ＡＧＣの大きさに応じて決定されたダイオードＤ１，Ｄ２のインピーダンス値に応じたレベル損失を発生させる。こうしてレベル損失された信号は、クランプ回路９２に入力される。クランプ回路９２では、入力信号が接地レベルに対して＋側又は−側に大きな電圧を有している場合には、ダイオードＤ３又はダイオードＤ４によるクランプ処理が施される。この結果、後段信号処理回路２の高周波増幅回路３への入力信号レベルの適正化が図られるようになっている。
【０００８】
また、後段信号処理回路２への入力信号のレベルの適正化を達成するために、図８に示される回路構成を採用する受信装置９５も提案されている（特許文献１参照；以下、「従来例２」と呼ぶ）。この受信装置９５は、上述した受信装置９０における信号減衰回路９１及びクランプ回路９２を、信号減衰回路９６に置き換えたものである。この信号減衰回路９６は、上述した信号減衰回路９１の構成要素に加えて、ダイオードＤ１とダイオードＤ２との接続点に一方の端子が接続されるとともに、他方の端子がキャパシタＣ１の信号出力端子に接続された抵抗Ｒ２を備えている。
【０００９】
受信装置９５では、アンテナ１に誘起された高周波信号については、受信装置９０の場合と同様にして、減衰率制御信号ＡＧＣの大きさにより決定されたダイオードＤ１，Ｄ２のインピーダンス値に応じたレベル損失が発生する。また、アンテナに誘起された信号に接地レベルに対して＋側に大きな電圧を有する低周波妨害波由来の低周波信号が存在する場合には、当該低周波信号については、抵抗Ｒ２のインピーダンス、キャパシタＣ１のインピーダンス及びダイオードＤ１の整流方向インピーダンスの合成インピーダンスと、アンテナ１のインピーダンスとの比で定まるレベル損失が発生する。こうして、受信装置９５では、後段信号処理回路２の高周波増幅回路３への入力信号レベルの適正化が図られている。
【００１０】
なお、受信装置９５の説明に際しては、受信装置９０の場合と同一又は同等の要素については同一の符号を付し、重複する説明を省略した。
【００１１】
【特許文献１】特開平９−１３５１８０号公報
【発明の開示】
【発明が解決しようとする課題】
【００１２】
上述した従来例１及び従来例２の技術は、共に、電流の流し易さに方向性を有する非線形応答素子である整流器素子としてのダイオードの特性を活用した技術である。ここで、従来例１の技術では、２つのダイオードＤ３，Ｄ４から成るクランプ回路９２によって、後段信号処理回路２へ入力される信号のレベルを制限している。このため、アンテナ１による受信信号が、接地レベルに対して＋側に大きな電圧を有する場合であっても、接地レベルに対して−側に大きな電圧を有する場合であっても、後段信号処理回路２への入力信号のレベルを適正化することができるという観点からは優れたものである。
【００１３】
一方、上述した従来例２の技術では、信号減衰回路９６のダイオードＤ１を信号減衰用に利用するとともに、信号クランプ用にも利用している。このため、ダイオード等の整流器手段は、長期的な動作安定性の観点からは、抵抗やキャパシタに比べて劣ると言わざるを得ない。また、高価でもある。これらのことを考えると、従来例１の技術と比べて、抵抗素子が増加しているが、整流器手段であるダイオードの数を低減できる点ですぐれている。しかしながら、従来例の技術では、アンテナによる受信信号が接地レベルに対して＋側に大きな電圧を有する場合には、ダイオードＤ１と抵抗Ｒ２とによって構成される回路によって、後段信号処理回路２への入力信号のレベルを適正化することができるが、接地レベルに対して−側に大きな電圧を有する場合には、後段信号処理回路２への入力信号のレベルを適正化することができなかった。
【００１４】
本発明は、上記の事情を鑑みてなされたものであり、自動利得調整に寄与するとともに、低周波妨害波対策を行うことができる新たな信号減衰回路を提供することを目的とする。
【課題を解決するための手段】
【００１５】
本発明の第１の態様の信号減衰回路は、信号源からの信号を減衰させて、後段信号処理回路へ送る信号減衰回路であって、前記信号源の出力端子及び前記後段信号処理回路の入力端子と第１インピーダンス手段を介して接続された一方の端子と、交流的な接地レベルと接続された他方の端子とを有し、減衰率制御信号の大きさに対応してインピーダンスが変化する第１整流器手段と；前記交流的な接地レベルと第２インピーダンス手段を介して接続された一方の端子と、前記第１整流器手段の一方の端子と接続された他方の端子とを有し、整流方向について前記第１整流器手段と直列に接続されるとともに、前記減衰率制御信号の大きさに対応してインピーダンスが変化する第２整流器手段と；を備え、前記第１インピーダンス手段及び前記第２インピーダンス手段のインピーダンスが、前記後段信号処理回路が処理すべき高周波領域においては、前記減衰率制御信号の大きさに応じた前記第１整流器手段及び前記第２整流器手段のインピーダンス変化による前記信号源からの信号の減衰量を考慮して定められるとともに、低周波妨害が発生し得る低周波領域においては、前記信号源のインピーダンス及び前記後段信号処理回路の入力信号レベルの適正範囲を考慮して定められている、ことを特徴とする信号減衰回路である。ここで、「整流器手段」とは、電流の流し易さに方向性を有し、非線形応答を行う素子又は素子の組合せをいい、「整流方向」とは、整流器手段において電流を流しやすい方向をいう。本明細書においては、この意味で、「整流器手段」及び「整流方向」の用語を用いる。
【００１６】
この信号減衰回路では、第１インピーダンス手段及び第２インピーダンス手段のインピーダンスは、後段信号処理回路が処理すべき高周波領域において、減衰率制御信号の大きさに応じた前記第１整流器手段及び前記第２整流器手段のインピーダンス変化による信号源からの信号の減衰量を考慮して定められている。このため、高周波信号の場合には、減衰率制御信号の大きさにより定まる第１整流器手段及び第２整流器手段のインピーダンスに応じたレベル損失が施され、前記信号源からの信号が適切に減衰する。
【００１７】
また、低周波妨害が発生し得る低周波領域においては、例えば、第１整流器手段の整流方向が第１整流器手段の一方の端子から他方の端子への方向であるとすると、交流的な接地レベルに対して＋側に電圧を有する期間では、第１インピーダンス手段のインピーダンス及び第１整流器手段の整流方向インピーダンスの合成インピーダンスと、信号源のインピーダンスとの比で定まるレベル損失が発生する。また、交流的な接地レベルに対して−側に電圧を有する期間では、第１インピーダンス手段のインピーダンス、第２整流器手段の整流方向インピーダンス及び第２インピーダンス手段のインピーダンスの合成インピーダンスと、信号源のインピーダンスとの比で定まるレベル損失が発生する。
【００１８】
ここで、低周波妨害が発生し得る低周波領域においては、第１インピーダンス手段及び第２インピーダンス手段のインピーダンスは、信号源のインピーダンス及び後段信号処理回路の入力信号レベルの適正範囲を考慮して定められている。このため、低周波妨害が発生したとしても、後段信号処理回路の入力信号レベルの適正範囲に収められる。
【００１９】
本発明の第１の態様の信号減衰回路では、前記信号源の信号出力端子と前記第１整流器手段の一方の端子とを、容量素子を介して接続するとともに、前記容量素子を介した接続と並列して抵抗素子を介して接続する構成とすることもできる。
【００２０】
なお、本発明の第１の態様の信号減衰回路では、前記第１整流器手段及び前記第２整流器手段としてダイオードを採用することができる。
【００２１】
本発明の第２の態様の信号減衰回路は、信号源からの信号を減衰させて、後段信号処理回路へ送る信号減衰回路であって、前記信号源の出力端子及び前記後段信号処理回路の入力端子と接続された一方の端子と、交流的な接地レベルと接続された他方の端子とを有し、減衰率制御信号の大きさに対応してインピーダンスが変化する第１整流器手段と；前記交流的な接地レベルとインピーダンス手段を介して接続された一方の端子と、前記第１整流器手段の一方の端子と接続された他方の端子とを有し、整流方向について前記第１整流器手段と直列に接続されるとともに、前記減衰率制御信号の大きさに対応してインピーダンスが変化する第２整流器手段と；を備え、前記インピーダンス手段のインピーダンスが、前記後段信号処理回路が処理すべき高周波領域においては、前記減衰率制御信号の大きさに応じた前記第１整流器手段及び前記第２整流器手段のインピーダンス変化による前記信号源からの信号の減衰量を考慮して定められるとともに、低周波妨害が発生し得る低周波領域においては、前記信号源のインピーダンス及び前記後段信号処理回路の入力信号レベルの適正範囲を考慮して定められている、ことを特徴とする信号減衰回路である。
【００２２】
この信号減衰回路では、インピーダンス手段のインピーダンスは、後段信号処理回路が処理すべき高周波領域において、減衰率制御信号の大きさに応じた前記第１整流器手段及び前記第２整流器手段のインピーダンス変化による信号源からの信号の減衰量を考慮して定められている。このため、高周波信号の場合には、減衰率制御信号の大きさにより定まる第１整流器手段及び第２整流器手段のインピーダンスに応じたレベル損失が施され、前記信号源からの信号が適切に減衰する。
【００２３】
また、低周波妨害が発生し得る低周波領域においては、例えば、第１整流器手段の整流方向が第１整流器手段の一方の端子から他方の端子への方向であるとすると、交流的な接地レベルに対して＋側に電圧を有する期間では、第１整流器手段の整流方向インピーダンスと、信号源のインピーダンスとの比で定まるレベル損失が発生する。また、交流的な接地レベルに対して−側に電圧を有する期間では、インピーダンス手段のインピーダンス及び第２整流器手段の整流方向インピーダンスの合成インピーダンスと、信号源のインピーダンスとの比で定まるレベル損失が発生する。
【００２４】
ここで、低周波妨害が発生し得る低周波領域においては、インピーダンス手段のインピーダンスは、信号源のインピーダンス及び後段信号処理回路の入力信号レベルの適正範囲を考慮して定められている。このため、低周波妨害が発生したとしても、後段信号処理回路の入力信号レベルの適正範囲に収められる。
【００２５】
なお、本発明の第２の態様の信号減衰回路では、前記第１整流器手段及び前記第２整流器手段としてダイオードを採用することができる。
【発明を実施するための最良の形態】
【００２６】
以下、本発明の一実施形態を、図１〜図３を参照して説明する。
【００２７】
図１には、本発明の一実施形態に係る信号減衰回路１２を備える受信装置１０の構成が示されている。図１に示されるように、受信装置１０は、信号減衰回路１２に加えて、（ａ）アンテナ１と、（ｂ）初段に高周波増幅回路３を有し、アンテナ１により受信された後に信号減衰回路１２を介した信号を処理する後段信号処理回路２とを備えている。ここで、減衰率制御信号ＡＧＣは、上述の受信装置９０，９５の場合と同様に、後段信号処理回路２において生成され、抵抗Ｒ１３を介して、信号減衰回路１２に供給されるようになっている。なお、減衰率制御信号ＡＧＣは、高周波増幅回路３により増幅された信号の検波結果や、高周波増幅回路３よりも後段の検波結果等に基づいて生成される。
【００２８】
信号減衰回路１２は、ダイオードＤ１（第１整流器手段）、ダイオードＤ２（第２整流器手段）、キャパシタＣ１１（第１インピーダンス手段の一部）、抵抗Ｒ１１（第１インピーダンス手段の一部）及び抵抗Ｒ１２（第２インピーダンス手段）を備えている。ここで、ダイオードＤ１のカソード端子が接地されるとともに、ダイオードＤ１のアノード端子がダイオードＤ２のカソード端子に接続されている。ダイオードＤ２のアノード端子には、抵抗Ｒ１３を介して、減衰率制御信号ＡＧＣが入力されている。
【００２９】
また、キャパシタＣ１１の一方の端子がアンテナ１の信号出力端子及び後段信号処理回路２の高周波増幅回路３の信号入力端子に接続されるとともに、キャパシタＣ１１の他方の端子がダイオードＤ１のアノード端子に接続されている。また、抵抗Ｒ１１の一方の端子がアンテナ１の信号出力端子及び後段信号処理回路２の高周波増幅回路３の信号入力端子に接続されるとともに、抵抗Ｒ１１の他方の端子がダイオードＤ１のアノード端子に接続されている。また、抵抗Ｒ１２の一方の端子が接地されるとともに、抵抗Ｒ１２の他方の端子がダイオードＤ２のアノード端子に接続されている。
【００３０】
キャパシタＣ１１の容量値としては、従来例１のキャパシタＣ１の容量値と同様の容量値が選択される。また、抵抗Ｒ１３の抵抗値としては、従来例１の抵抗値と同様の値が選択される。
【００３１】
また、抵抗Ｒ１１の抵抗値としては、低周波妨害に由来する成分の周波数範囲について、アンテナ１の等価回路であるキャパシタＣ０のインピーダンス及びキャパシタＣ１１のインピーダンスよりも十分に小さい値が選択される。また、抵抗Ｒ１２の抵抗値としては、低周波妨害に由来する成分の周波数範囲について、抵抗Ｒ１１の抵抗値との和がアンテナ１の等価回路であるキャパシタＣ０のインピーダンスよりも十分に小さく、かつ、抵抗Ｒ１３を介した減衰率制御信号ＡＧＣにより、ダイオードＤ１，Ｄ２のインピーダンスを自動利得調整の観点から十分な範囲で変化させることができる値が選択される。
【００３２】
例えば、アンテナ１がロッドアンテナである場合に、キャパシタＣ０の容量値が８０ｐＦ程度であり、低周波妨害の周波数として５０〜６０Ｈｚを想定すると、キャパシタＣ０のインピーダンスは３３〜４０ＭΩ程度となる。この場合に、１００Ｖ程度までの振幅の低周波妨害を数１００ｍＶ程度の振幅にクランプして、高周波増幅回路３の入力適正電圧範囲内とするためは、抵抗Ｒ１１及び抵抗Ｒ１２の抵抗値は、数１００ｋΩ程度以下ということになる。こうした範囲で選択された抵抗Ｒ１２の抵抗値に応じて、減衰率制御信号ＡＧＣにより、ダイオードＤ１，Ｄ２のインピーダンスを自動利得調整の観点から十分な範囲で変化させることができるように、抵抗Ｒ１３の抵抗値が選択される。
【００３３】
次に、以上のようにして構成された受信装置１０の動作について説明する。
【００３４】
アンテナ１に誘起された放送波信号等の後段信号処理回路２が処理すべき高周波信号は、受信装置１０において予め設定されている自動利得調節動作に関する感度以下の電圧であった場合には、高周波信号は、信号減衰回路１２により減衰されることなく、後段信号処理回路２の高周波増幅回路３に入力される。これは、ダイオードＤ２の整流方向とは逆方向のインピーダンスが非常に大きく、かつ、減衰率制御信号ＡＧＣによる電流供給がなされないために、ダイオードＤ１の整流方向インピーダンスが非常に大きな値となることによる。
【００３５】
また、アンテナ１に誘起された高周波信号の振幅が大きくなり、自動利得調節動作に関する感度を超える電圧となると、減衰率制御信号ＡＧＣによる電流供給がなされることにより減衰指令がなされ、ダイオードＤ１，Ｄ２のインピーダンスが変化する。この結果、ダイオードＤ１のアノード端子が＋レベルとなる。そして、キャパシタＣ１１のインピーダンス、抵抗Ｒ１１のインピーダンス及びダイオードＤ１の整流方向インピーダンスとの合成インピーダンスと、アンテナ１のインピーダンスとの比で定まるレベル損失が、高周波信号について発生し、アンテナ１に誘起された高周波信号が減衰される。
【００３６】
以上のようにして、アンテナ１に誘起された高周波信号のレベルが適正化されて、高周波増幅回路３に入力される。
【００３７】
一方、アンテナ１に誘起される信号が、送電線妨害等といった低周波妨害の周波数程度の低周波信号が重畳されると、この低周波信号に対しては抵抗Ｒ１１のインピーダンスがキャパシタＣ１１のインピーダンスよりも十分に小さいので、信号減衰回路１２は、キャパシタＣ１１のインピーダンスが無い場合と同様の動作を行う。すなわち、低周波信号が＋側の電圧を有する期間には、ほぼ、抵抗Ｒ１１のインピーダンス及びダイオードＤ１の整流方向インピーダンスの合成インピーダンスと、アンテナ１のインピーダンスとの比で定まる電圧値とされる。また、低周波信号が−側の電圧を有する期間には、ほぼ、抵抗Ｒ１１のインピーダンス、ダイオードＤ２の整流方向インピーダンス及び抵抗Ｒ１２のインピーダンスの合成インピーダンスと、アンテナ１のインピーダンスとの比で定まる電圧値とされる。
【００３８】
ここで、アンテナ１のインピーダンスが、低周波妨害の周波数程度の低周波信号については、抵抗Ｒ１１のインピーダンス及び抵抗Ｒ１２のインピーダンスよりも十分に大きいことを考えると、低周波信号の振幅が大きな場合には、上記の動作は、従来例１におけるクランプ回路９２によるクランプ処理動作と同様のクランプ動作といえ、結果も従来例１におけるクランプ回路９２によるクランプ処理結果と同等なものとなる。このため、アンテナ１に誘起される信号が、振幅の大きな低周波信号が重畳したものとなっても、高周波増幅回路３に入力される信号のレベルが適正化される。
【００３９】
本実施形態の受信装置１０における高周波増幅回路３への入力信号レベル適正化動作の確認のため、アンテナ１の等価回路であるキャパシタＣ０の容量値を８０ｐＦ、キャパシタＣ１１の容量値を３３００ｐＦ、抵抗Ｒ１１の抵抗値を４．７ｋΩ、抵抗Ｒ１２を４．７ｋΩとするとともに、ダイオードＤ１，Ｄ２を通常に市販されているＰＮ接合ダイオードを採用した受信装置を試作した。そして、信号出力端子が開放状態にある場合において、最高最低振幅が１００Ｖ、５０Ｈｚの低周波信号となる低周波妨害波を、アンテナ１に印加する実験を行った。この場合に、信号減衰回路１２の出力端子おける波形は、図２に示されるようなものであり、最高最低振幅ＶＥPPは、４８０ｍＶであった。
【００４０】
また、比較例として、クランプ性能としては理想的と考えられる従来例１の受信装置９０を、キャパシタＣ１の容量値を３３００ｐＦとし、ダイオードＤ３，Ｄ４として上記のダイオードＤ１，Ｄ２と同種のものを採用するともに、他の条件は同一として試作した。そして、同一条件の低周波信号をアンテナ１に誘起させた。この場合に、高周波増幅回路３の入力端子おける波形は、図３に示されるようなものであり、最高最低振幅ＶＲPPは、４５０ｍＶであった。
【００４１】
これにより、受信装置１０における高周波増幅回路３への入力信号レベル適正化性能は、従来例１の受信装置９０の場合と比べて遜色がないことが実証された。
【００４２】
以上説明したように、本実施形態の信号減衰回路１２では、アンテナ１により受信された高周波信号については、減衰率制御信号の大きさにより定まるダイオードＤ１，Ｄ２のインピーダンスに応じた減衰率で、高周波信号が減衰される。一方、送電線妨害等の低周波妨害が発生し、アンテナ１で誘起された信号の振幅が低周波で大きく変動する場合には、抵抗Ｒ１１及びダイオードＤ１で構成される回路、又は、抵抗Ｒ１１、ダイオードＤ２及び抵抗Ｒ１２で構成される回路によって、低周波妨害に由来する低周波信号の電圧がクランプされる。
【００４３】
したがって、本実施形態の信号減衰回路１２によれば、受信装置１０におけるダイオード等の整流器手段の数の増加を抑えつつ、後段の高周波増幅回路３に入力される信号のレベルを適正化することができる。また、本実施形態の信号減衰回路１２によれば、自動利得調整に寄与するとともに、低周波妨害波対策を行うことができる。
【００４４】
本発明は、上記の実施形態に限定されるものではなく、様々な変形が可能である。例えば、以下の変形例１〜３への変形が可能である。
【００４５】
＜変形例１＞
図４に示される受信装置２０のように、信号減衰回路１２に代えて、変形例１の信号減衰回路２２を採用することができる。この信号減衰回路２２は、ダイオードＤ１（第１整流器手段）、ダイオードＤ２（第２整流器手段）及び抵抗Ｒ２２（インピーダンス手段）を備え、ダイオードＤ１のカソード端子が接地されるとともに、ダイオードＤ１のアノード端子が、アンテナ１の信号出力端子及びダイオードＤ２にカソード端子に接続されている。また、ダイオードＤ２のアノード端子には、抵抗Ｒ１３を介して、減衰率制御信号ＡＧＣが入力されている。そして、抵抗Ｒ２２の一方の端子が接地されるとともに、抵抗Ｒ２２の他方の端子がダイオードＤ２のアノード端子に接続されている。なお、抵抗Ｒ２２の抵抗値は、上記の実施形態における抵抗Ｒ１２の抵抗値と同程度の抵抗値とされている。すなわち、信号減衰回路２２は、信号減衰回路１２と比べて、ダイオードＤ１のアノード端子がアンテナ１の信号出力端子に直接的に接続されている点に特徴がある。
【００４６】
こうして構成された受信装置２０では、アンテナ１に誘起された放送波信号等の後段信号処理回路２が処理すべき高周波信号は、上述した受信装置１０の場合と同様に、減衰率制御信号ＡＧＣの大きさに応じた減衰動作が行われて、高周波増幅回路３に入力される。
【００４７】
一方、アンテナ１に誘起される信号が、送電線妨害等の低周波妨害による振幅の大きな低周波信号が重畳したものとなると、低周波信号が＋側に大きな電圧値を有する期間には、低周波信号は、ダイオードＤ１によりクランプされる。また、低周波信号が−側に大きな電圧値を有する期間には、低周波信号は、ダイオードＤ２及び抵抗Ｒ２２により構成される回路によりクランプされる。この結果、アンテナ１に誘起される信号が、振幅の大きな低周波信号が重畳したものとなっても、高周波増幅回路３に入力される信号のレベルは、高周波増幅回路３にとっての入力信号レベルの適正範囲となる。
【００４８】
＜変形例２＞
図５に示される受信装置３０のように、信号減衰回路１２に代えて、変形例２の信号減衰回路３２を採用することができる。
【００４９】
この信号減衰回路３２は、ダイオードＤ１（第２整流器手段）、ダイオードＤ２（第１整流器手段）、キャパシタＣ３１（第１インピーダンス手段の一部）、抵抗Ｒ３１（第１インピーダンス手段の一部）及び抵抗Ｒ３２（第２インピーダンス手段）を備えている。ここで、ダイオードＤ２のアノード端子が、交流的な接地レベルである電源電圧レベル（ＶＣＣ）に接続されるとともに、ダイオードＤ２のカソード端子がダイオードＤ１のアノード端子に接続されている。ダイオードＤ１のカソード端子には、抵抗Ｒ１３を介して、減衰率制御信号ＡＧＣが入力されている。
【００５０】
キャパシタＣ３１の一方の端子がアンテナ１の信号出力端子及び後段信号処理回路２の高周波増幅回路３の信号入力端子に接続されるとともに、キャパシタＣ３１の他方の端子がダイオードＤ１のアノード端子に接続されている。また、抵抗Ｒ３１の一方の端子がアンテナ１の信号出力端子及び後段信号処理回路２の高周波増幅回路３の信号入力端子に接続されるとともに、抵抗Ｒ３１の他方の端子がダイオードＤ１のアノード端子に接続されている。また、抵抗Ｒ３２の一方の端子が電源電圧レベルに接続されるとともに、抵抗Ｒ３２の他方の端子がダイオードＤ１のカソード端子に接続されている。
【００５１】
キャパシタＣ３１の容量値、抵抗Ｒ３１の抵抗値及び抵抗Ｒ３２の抵抗値は、上述したキャパシタＣ１１の容量値、抵抗Ｒ１１の抵抗値及び抵抗Ｒ１２の抵抗値と同様の値とされている。
【００５２】
こうして構成された受信装置３０では、アンテナ１に誘起された放送波信号等の後段信号処理回路２が処理すべき高周波信号は、上述した受信装置１０の場合と同様に、減衰率制御信号ＡＧＣの大きさに応じた減衰動作が行われて、高周波増幅回路３に入力される。
【００５３】
一方、アンテナ１に誘起される信号が、送電線妨害等の低周波妨害による振幅の大きな低周波信号が重畳したものとなると、低周波信号が電源電圧レベルに対して＋側に大きな電圧値を有する期間には、低周波信号は、抵抗Ｒ３１、ダイオードＤ１及び抵抗Ｒ３２で構成される回路によりクランプされる。また、低周波信号が電源電圧レベルに対して−側に大きな電圧値を有する期間には、低周波信号は、抵抗Ｒ３１及びダイオードＤ２で構成される回路によりクランプされる。この結果、アンテナ１に誘起される信号が、振幅の大きな低周波信号が重畳したものとなっても、高周波増幅回路３に入力される信号のレベルは、高周波増幅回路３にとっての入力信号レベルの適正範囲となる。
【００５４】
＜変形例３＞
図６に示される受信装置４０のように、信号減衰回路１２に代えて、変形例３の信号減衰回路４２を採用することができる。この変形例３の信号減衰回路４２は、上記の実施形態の信号減衰回路１２から変形例１の信号減衰回路２２への変形と同様の変形を、変形例２の信号減衰回路３２に施したものである。
【００５５】
この信号減衰回路４２は、ダイオードＤ１（第２整流器手段）、ダイオードＤ２（第１整流器手段）及び抵抗Ｒ４２（インピーダンス手段）を備え、ダイオードＤ２のアノード端子が電源電圧レベルに接続されとともに、ダイオードＤ２のカソードが、アンテナ１の信号出力端子及びダイオードＤ１のアノード端子に接続されている。また、ダイオードＤ１のカソード端子には、抵抗Ｒ１３を介して、減衰率制御信号ＡＧＣが入力されている。そして、抵抗Ｒ４２の一方の端子が電源電圧レベルに接続されるとともに、抵抗Ｒ４２の他方の端子がダイオードＤ１のカソード端子に接続されている。なお、抵抗Ｒ４２の抵抗値は、変形例２における抵抗Ｒ３２の抵抗値と同程度の抵抗値とされている。
【００５６】
こうして構成された受信装置４０では、アンテナ１に誘起された放送波信号等の後段信号処理回路２が処理すべき高周波信号は、上述した受信装置３０の場合と同様に、減衰率制御信号ＡＧＣの大きさに応じた減衰動作が行われて、高周波増幅回路３に入力される。
【００５７】
一方、アンテナ１に誘起される信号が、送電線妨害等の低周波妨害による振幅の大きな低周波信号が重畳したものとなると、低周波信号が電源電圧レベルに対して＋側に大きな電圧を有する期間には、低周波信号は、ダイオードＤ１及び抵抗Ｒ４２で構成される回路によりクランプされる。また、低周波信号が電源電圧レベルに対して−側に大きな電圧を有する期間には、低周波信号は、ダイオードＤ２によりクランプされる。この結果、アンテナ１に誘起される信号が、振幅の大きな低周波信号が重畳したものとなっても、高周波増幅回路３に入力される信号のレベルは、高周波増幅回路３にとっての入力信号レベルの適正範囲となる。
【００５８】
また、上記の実施形態及び変形例１〜３では、振幅の大きな低周波信号のクランプをダイオードと協働して行う素子を抵抗としたが、上記の実施形態の説明において記載した選択基準を満たすものであれば、抵抗に代えて採用することもできる。
【００５９】
また、上記の実施形態及び変形例１〜３では、ダイオードを使用したが、ダイオードと同様な整流作用を有するものであれば、ダイオードに代えて採用することができる。
【００６０】
また、上記の実施形態及び変形例１〜３では、本発明をラジオ受信機等の受信装置が装備する信号減衰回路に適用したが、受信装置以外の信号処理装置が装備する減衰回路にも適用することができるのは、勿論である。
【図面の簡単な説明】
【００６１】
【図１】本発明の一実施形態に係る信号減衰回路を備える受信装置の回路構成を示す図である。
【図２】図１の装置における高周波増幅回路の入力端子における信号波形の例を説明するための図である。
【図３】比較例の信号波形の例を説明するための図である。
【図４】変形例１の信号減衰回路を備える受信装置の回路構成を示す図である。
【図５】変形例２の信号減衰回路を備える受信装置の回路構成を示す図である。
【図６】変形例３の信号減衰回路を備える受信装置の回路構成を示す図である。
【図７】従来例１の信号減衰回路を備える回路構成を示す図である。
【図８】従来例２の信号減衰回路を備える回路構成を示す図である。
【図１】
0004233107.tif 000002
【図２】
0004233107.tif 000003
【図３】
0004233107.tif 000004
【図４】
0004233107.tif 000005
【図５】
0004233107.tif 000006
【図６】
0004233107.tif 000007
【図７】
0004233107.tif 000008
【図８】
0004233107.tif 000009